(57)【特許請求の範囲】
【請求項１】
扉を回転自在に支持する水平揺動自在の支持アームと、扉枠の上枠に下向きに付設するガイドレールと、扉の上端の室外側に取外し可能に取り付け、前記ガイドレールに係合するガイドローラを上端に付設するガイドピンとを備えてなり、該ガイドピンを扉の室外側から取り外すと、前記ガイドピン、ガイドレールによる開閉軌跡から扉が解放され、施錠用の閂部材を竪枠の係合孔から抜き取るように扉を移動させることにより、室内側から施錠されている扉を室外側から開放可能であることを特徴とする折畳み回転扉のガイド機構。
【請求項２】
前記ガイドピンは、スリットを形成するブラケットを介して扉に取り付けることを特徴とする請求項１記載の折畳み回転扉のガイド機構。
【請求項３】
前記スリットは、扉と直角に形成し、前記ガイドレールは、扉の閉鎖状態において前記ガイドピンに対応する切欠きを有することを特徴とする請求項２記載の折畳み回転扉のガイド機構。
【請求項４】
前記スリットは、扉と平行に形成することを特徴とする請求項２記載の折畳み回転扉のガイド機構。
【発明の詳細な説明】
【０００１】
【発明の属する技術分野】
この発明は、室内側から施錠されているときであっても、非常の際に室外側から容易に開放することができる折畳み回転扉のガイド機構に関する。
【０００２】
【従来の技術】
開放時の通路幅を広くすることができ、車椅子を使用する身障者等であっても便利に開閉することができる折畳み回転扉が知られている。
【０００３】
このものは、扉枠と、扉枠に並設する回転支柱と、回転支柱の上下に付設する支持アームに対して回転自在に装着する扉とを備えて構成されている。また、扉は、その開閉軌跡を規定するために扉枠の上部にガイドレールを設け、ガイドレールに係合するガイドピンを上部の適当な位置に備えている。扉は、回転支柱から遠い側を室内側から前方に押すことにより、回転支柱に近い側が室内側に後退するとともに全体が回転支柱に接近しながら回転し、扉枠に直角に開くことができる。
【０００４】
【発明が解決しようとする課題】
かかる従来技術によるときは、扉は、室内側から施錠すると、室内の使用者が倒れるなどの非常事態が発生した場合であっても、室外側から全く開放することができないという問題があった。扉を支持する回転支柱や支持アーム等の部材が室外側に全く露出してないからである。
【０００５】
そこで、この発明の目的は、かかる従来技術の問題に鑑み、室外側から取外し可能なガイドピンを採用することによって、非常の際に扉を室外側から容易に開放することができる折畳み回転扉のガイド機構を提供することにある。
【０００６】
【課題を解決するための手段】
かかる目的を達成するためのこの発明の構成は、扉を回転自在に支持する水平揺動自在の支持アームと、扉枠の上枠に下向きに付設するガイドレールと、扉の上端の室外側に取外し可能に取り付け、ガイドレールに係合するガイドローラを上端に付設するガイドピンとを備えてなり、ガイドピンを扉の室外側から取り外すと、ガイドピン、ガイドレールによる開閉軌跡から扉が解放され、施錠用の閂部材を竪枠の係合孔から抜き取るように扉を移動させることにより、室内側から施錠されている扉を室外側から開放可能であることをその要旨とする。
【０００７】
なお、ガイドピンは、スリットを形成するブラケットを介して扉に取り付けることができる。
【０００８】
また、スリットは、扉と直角に形成し、ガイドレールは、扉の閉鎖状態においてガイドピンに対応する切欠きを有することができる。
【０００９】
また、スリットは、扉と平行に形成してもよい。
【００１１】
【作用】
かかる発明の構成によるときは、ガイドピンは、扉の室外側に取り付けられており、扉枠に下向きに付設するガイドレールに対して下方から係合している。そこで、扉は、ガイドピンを取り外し、ガイドレールによる開閉軌跡から解放することにより、室内側から施錠されている場合であっても、室外側から容易に開放することができる。
【００１２】
スリット付きのブラケットを介してガイドピンを扉に取り付ければ、ガイドピンは、ブラケットのスリットに沿って移動させることにより、一層容易に取り外すことができる。
【００１３】
スリットを扉と直角に形成すれば、ガイドピンは、スリットに沿って移動させ、ガイドレールの切欠きを介してガイドレールの外側に引き出すようにして取り外すことができる。
【００１４】
スリットを扉と平行に形成すれば、ガイドピンは、スリットに沿ってガイドレールと平行に移動させ、ブラケットから外れた時点において下方に抜き取ればよく、一層簡単に取り外すことができる。
【００１５】
ガイドローラを介してガイドピンをガイドレールに係合させるときは、ガイドピンは、ガイドレール内において傾斜させ易く、ガイドレールから外し易い上、扉の開閉に要する力を小さくし、扉の操作性を向上させることができる。
【００１６】
【発明の実施の形態】
以下、図面を以って発明の実施の形態を説明する。
【００１７】
折畳み回転扉のガイド機構は、扉３１を支持する上下の支持アーム２２、２３と、扉３１に取り付けるガイドピン１１と、扉枠４０に付設するガイドレール１３とを主要部材としてなる（図１）。ただし、支持アーム２２、２３は、扉枠４０の竪枠４１に並設する回転支柱２１の両端に付設されている。
【００１８】
扉枠４０は、左右の竪枠４１、４２、上枠４３により門形に形成され、壁Ｗに固定して床Ｆに立設されている。また、竪枠４１、４２は、床Ｆに埋設する下枠４４を介し連結されている。竪枠４１は、取付材４１ａ、表面材４１ｂ、４１ｃ、補強材４１ｄ、取付材４１ｅを組み合わせて形成されている（図２）。また、表面材４１ｂの前側には、パッキン材４１ｆが付設されており、表面材４１ｃの先端部には、取付材４１ｅとの間に戸当り４１ｇが付設されている。
【００１９】
竪枠４２は、取付材４２ａ、表面材４２ｂ、取付材４２ｃを組み合わせて形成されている（図３）。また、戸当り４２ｄは、取付材４２ｃの内側に収納するようにして付設されている。
【００２０】
上枠４３は、取付材４３ａ、表面材４３ｂ、補強材４３ｃを組み合わせて構成されている（図４）。表面材４３ｂには、竪枠４１側の内面に補強材４３ｄが固定されている。
【００２１】
扉３１は、枠状に連結する補強材３１ａ、３１ａ…と、室内側、室外側の表面に付設する装飾板３１ｂ、３１ｂと、補強材３１ａ、３１ａ…、装飾板３１ｂ、３１ｂ内に設ける芯材３１ｃとから構成されている（図２、図３）。また、扉３１の両側端面には、エッジ材３１ｄ、３１ｄが付設されている。
【００２２】
扉３１は、竪枠４１側の室内側に押板３２を付設し（図１、図２）、竪枠４２側の両面に操作ハンドル３３、３３が配置されている（図１、図３）。また、操作ハンドル３３、３３の下には、ロックハンドル３４が組み付けられている。操作ハンドル３３、３３は、扉３１を開放する際に、ラッチ３３ａを竪枠４２側の図示しない係合穴から外すことができる。また、ロックハンドル３４は、扉３１の側端面から閂部材３４ａを出没させ、扉３１を室内側から施錠し、解錠することができる。
【００２３】
回転支柱２１は、竪枠４１の前面側に並設されている（図１、図２）。回転支柱２１は、角パイプ材からなり（図２、図４）、上下の保持ピン４５、４５、ピン受け４５ａ、４５ａを介して竪枠４１の隅部に回転自在に収納されている。
【００２４】
上部のピン受け４５ａは、平板状に形成され、止め板４５ｂを介して上枠４３の表面材４３ｂの下面にねじ止めされている。上部の保持ピン４５は、上部のピン受け４５ａに下向きに立設され、回転支柱２１のプラグ２１ａに回転自在に挿入されている。下部のピン受け４５ａは、アングル材からなり、止め板４５ｂを介して竪枠４１の補強材４１ｄにねじ止めされている。下部の保持ピン４５は、ピン受け４５ａに上向きに立設され、ベアリング２１ｂを介して回転支柱２１のプラグ２１ａに回転自在に挿入されている。なお、ベアリング２１ｂは、ストップリング２１ｃを介して保持されている。回転支柱２１は、上下の保持ピン４５、４５を回転支柱２１の軸心上に正しく配設することにより、保持ピン４５、４５のまわりに左右に回転することができる。
【００２５】
支持アーム２２、２３は、回転支柱２１の上端、下端に水平に突設されている（図１）。支持アーム２２、２３は、それぞれ扉枠４０の全幅の１／２以下の長さに設定されている。支持アーム２２は、断面縦長の角パイプ材からなり（図５）、支持アーム２３は、平板材からなっている。なお、支持アーム２２の先方には、上枠４３と扉３１との間を閉鎖する装飾材４３ｆが上枠４３に組み付けられている（図１）。支持アーム２２、２３は、回転支柱２１を介し、保持ピン４５、４５のまわりに水平揺動することができる。
【００２６】
支持アーム２２の先端部には、上の連結ピン２５が下向きに付設されている。連結ピン２５は、上端に鍔を有し、下部に雄ねじ部が形成されている。連結ピン２５は、ベアリング受け２５ｂを介して保持するスラストベアリング２５ａに挿入されており、扉３１の補強材３１ａに付設する連結プレート３６にねじ込まれている。なお、支持アーム２２の上面には、連結ピン２５に対応して開口部２２ａが形成されている。一方、支持アーム２３の先端部には、下の連結ピン２５が上向きに立設されており、連結ピン２５は、ベアリング３５を介して扉３１の補強材３１ａに回転自在に挿入されている。そこで、支持アーム２２は、上の連結ピン２５を介して扉３１を吊下することができ、扉３１は、上下の連結ピン２５、２５、支持アーム２２、２３を介し、回転自在に支持されている。
【００２７】
ガイドレール１３は、扉枠４０の室外側において、扉枠４０の全幅に亘って上枠４３の下面に付設されている（図１、図５）。ガイドレール１３は、下向きのコ字状の溝１３ａを有する押出形材によって形成されており（図５、図６）、上枠４３の表面材４３ｂに形成する張出部４３ｅにねじ止めされている。ただし、張出部４３ｅには、支持材４３ｇが収納されている。
【００２８】
ガイドピン１１は、扉３１の上端において、ブラケット１２を介して室外側に取り付けられている（図１、図７）。ただし、図７（Ｂ）は、同図（Ａ）のＺ矢視相当図である。ガイドピン１１は、ガイドレール１３の溝１３ａに係合するガイドローラ１１ａが上端に付設されており、袋ナット１１ｂを介してブラケット１２に立設されている。なお、ブラケット１２には、ガイドピン１１を固定するスリット１２ａが扉３１と直角に形成されており、ブラケット１２は、止めねじ１２ｂ、１２ｂ…を介し、扉３１にねじ止めされている。また、ブラケット１２には、着脱可能なカバー１２ｃが付属している。
【００２９】
ガイドレール１３には、切欠き１３ｂが形成されている（図６、図７）。切欠き１３ｂは、扉３１の閉鎖状態においてガイドピン１１に対応する。そこで、ガイドピン１１は、カバー１２ｃを外して袋ナット１１ｂを取り外し、スリット１２ａに沿って室外側に移動させ、切欠き１３ｂを介して外部に引き出すことにより（図６の矢印Ｋ7 方向）、扉３１から取り外してガイドレール１３との係合を解除することができる（同図の二点鎖線）。ただし、ガイドピン１１は、袋ナット１１ｂを螺合する雄ねじ部の基部に対し、スリット１２ａに適合する角柱部１１ｃを形成して適切な回り止めがなされている。
【００３０】
施錠されていない扉３１は、閉鎖状態において（図８の実線）、回転支柱２１から遠い側、すなわち操作ハンドル３３側を室外側に押すことにより（同図の矢印Ｋ1 方向）、連結ピン２５、２５のまわりに回転し、同時に、回転支柱２１が保持ピン４５、４５のまわりに回転することによって支持アーム２２、２３が室内側に回転する（同図の矢印Ｋ2 方向）。扉３１は、ガイドピン１１、ガイドレール１３によって左右の動きが規制されており、連結ピン２５、２５のまわりに回転すると同時に、ガイドピン１１が回転支柱２１に向けて進行し（同図の矢印Ｋ3 方向）、全体として回転支柱２１側に移動するからである。そこで、扉３１は、扉枠４０に対して斜めに位置する半開状態を経て（同図の一点鎖線）、回転支柱２１側の竪枠４１の内面に十分接近して扉枠４０に直角に全開することができる（同図の二点鎖線）。
【００３１】
全開後の扉３１は、押板３２側を外側に押し（同図の矢印Ｋ4 方向）、または、操作ハンドル３３側を内側に引くことにより（同図の矢印Ｋ5 方向）、開放時の軌跡を通って元の状態に閉じることができる。なお、閉鎖中の扉３１を室外側から開放するには、操作ハンドル３３側を手前に引けばよい（同図の矢印Ｋ6 方向）。
【００３２】
扉３１は、室内側から施錠されているときであっても、非常の際に室外側から強制的に開放することができる（図９）。
【００３３】
すなわち、扉３１は、ガイドピン１１を取り外してガイドピン１１、ガイドレール１３による開閉軌跡から解放した上、回転支柱２１に近い側、すなわち連結ピン２５、２５の近傍を室内側に押すことにより（同図の矢印Ｋ8 方向）、支持アーム２２、２３が室内側に回転し（同図の矢印Ｋ9 方向）、施錠用の閂部材３４ａを竪枠４２の係合穴から抜き取るように斜めに移動させることができる（同図の一点鎖線）。そこで、扉３１は、さらに操作ハンドル３３側を室外側に引くことにより（同図の矢印Ｋ10方向）、連結ピン２５、２５を中心として回転し、全開に開放することができる（同図の二点鎖線）。また、扉３１は、さらに支持アーム２２、２３を同図の矢印Ｋ9 方向に回転させることにより、図８の二点鎖線の状態に開くことも可能である。ただし、扉３１は、室内の患者の状態、特に室内のどの位置において動けなくなっているかによって、支持アーム２２、２３の回転角度、扉３１の開き角度を状況に合わせて決めればよい。
【００３４】
【他の実施の形態】
ブラケット１２のスリット１２ａは、扉３１と平行に形成してもよい（図１０）。なお、このときのガイドレール１３は、切欠き１３ｂを省略してもよい。ガイドピン１１は、袋ナット１１ｂを緩め、スリット１２ａに沿って移動させ（同図の二点鎖線）、スリット１２ａから外れた位置において下方に取り外すことにより、ガイドレール１３との係合を解除することができる。
【００３５】
なお、図６、図１０において、ガイドピン１１は、ブラケット１２を固定する止めねじ１２ｂ、１２ｂ…を外すことにより、扉３１から取り外してもよい。
【００３６】
ブラケット１２は、扉３１に付設する台形ベース１４に対し、着脱自在に装着してもよい（図１１）。ただし、台形ベース１４は、横断面台形に形成されており、止めねじ１４ｂ、１４ｂ…を介して扉３１にねじ止めされている。
【００３７】
台形ベース１４には、上部が横向きに屈曲する下部開放の係合凹部１４ａが形成されている。一方、ブラケット１２は、台形ベース１４に適合する上部開放の台形溝１２ｄが裏面側に形成されており、正面中央部には、横長の長孔１２ｅが形成されている。なお、長孔１２ｅには、ワッシャ１２ｆ1 、角ナット１２ｆ2 を伴う止めねじ１２ｆが挿入されている。止めねじ１２ｆは、通常のねじ回しの他、硬貨を含む板状の部材によって回転させることができ、角ナット１２ｆ2 は、台形ベース１４の係合凹部１４ａに収納し得るものとする。
【００３８】
そこで、ブラケット１２は、ガイドローラ１１ａ付きのガイドピン１１をスリット１２ａに立設した上、台形ベース１４の下方から、台形ベース１４を台形溝１２ｄに挿入するようにして上向きに移動させ、角ナット１２ｆ2 を係合凹部１４ａに挿入して係合させるとともに、係合凹部１４ａの上端部において止めねじ１２ｆ、角ナット１２ｆ2 を横移動させ、止めねじ１２ｆを締め付けることにより、扉３１に固定することができる。また、ブラケット１２は、止めねじ１２ｆを緩め、止めねじ１２ｆ、角ナット１２ｆ2 を係合凹部１４ａに沿って移動させ、台形ベース１４から下方に抜き取るようにして取り外し、ガイドピン１１を扉３１から取り外すことができる。
【００３９】
ブラケット１２は、止めねじ１２ｆ、角ナット１２ｆ2 に代えて、手動操作形のフック１２ｇを介して台形ベース１４に装着してもよい（図１２）。フック１２ｇは、支持ピン１２ｇ1 を介し、ブラケット１２に形成する長孔１２ｇ2 に揺動自在に収納されている。また、台形ベース１４には、フック１２ｇの上端の鈎部分が係合する段部１４ｃが形成されており、フック１２ｇの下部を外側に向けて付勢する板ばね１４ｄが付設されている。ブラケット１２の下端には、ボール１２ｈ1 を介してブラケット１２を下方に付勢する圧縮ばね１２ｈが組み込まれており、圧縮ばね１２ｈは、ねじプラグ１２ｈ2 を介してセットされている。
【００４０】
ブラケット１２は、圧縮ばね１２ｈを押し縮めるようにして全体を僅かに上方に押し上げ（図１２の二点鎖線）、板ばね１４ｄに抗してフック１２ｇの下部を押し込むことによりフック１２ｇを段部１４ｃから外し（同）、そのまま全体を引き下げて台形ベース１４から抜き取るようにして、ガイドピン１１とともに扉３１から取り外すことができる。
【００４１】
ブラケット１２は、回転式の係合部材１２ｍと、係合部材１２ｍを回転操作するキャップ１２ｎとを介して取外し可能としてもよい（図１３）。ただし、同図（Ａ）は、ブラケット１２の横断面相当図であり、同図（Ｂ）は、同図（Ａ）のＡ−Ａ線矢視相当断面図である。
【００４２】
係合部材１２ｍは、棒状の係合部１２ｍ1 に軸１２ｍ2 を付設し、全体としてＴ字状に形成されている。なお、軸１２ｍ2 の先端部には、セレーション形の係合爪１２ｍ3 が形成されている。キャップ１２ｎは、係合部材１２ｍの係合爪１２ｍ3 に適合する係合爪１２ｎ1 が内面に形成されており、圧縮ばね１２ｎ2 を介して外側に付勢されている。ただし、キャップ１２ｎは、止め輪１２ｎ3 を介して抜け止めされている。台形ベース１４には、下部開放の係合凹部１４ｅが形成されており、係合凹部１４ｅの上端には、係合部材１２ｍの係合部１２ｍ1 が旋回可能な円形部１４ｅ1 が付設されている。
【００４３】
キャップ１２ｎは、圧縮ばね１２ｎ2 に抗して押し操作することにより、係合爪１２ｎ1 、１２ｍ3 が係合して係合部材１２ｍの軸１２ｍ2 に連結することができる。そこで、キャップ１２ｎを介して係合部材１２ｍを９０゜回転させると、係合部材１２ｍの係合部１２ｍ1 が台形ベース１４の係合凹部１４ｅと平行になり（図１３（Ｂ）の二点鎖線）、ブラケット１２は、そのまま台形ベース１４の下方に抜き取るようにして取り外すことができる。
【００４４】
なお、扉３１は、図１に拘らず、適当な位置に切窓を形成し、通気用のガラリを設けてもよい。ガラリは、室内の非常事態を外部に音声により伝え易くすることができる。
【００４５】
また、この発明は、室内に患者が閉じ込められるような非常事態が発生し易い車椅子用のトイレブース等に対し、特に好適に使用することができる。
【００４６】
【発明の効果】
以上説明したように、この発明によれば、扉の室外側から取外し可能なガイドピンを設けることによって、扉は、室内側から施錠されている場合であっても、ガイドピンを取り外して室外側から容易に開放することができるから、非常の際において室内の患者を速やかに救出することができるという優れた効果がある。
【図面の簡単な説明】
【図１】  全体正面図
【図２】  図１のＸ1 −Ｘ1 線矢視相当拡大断面図
【図３】  図１のＸ2 −Ｘ2 線矢視相当拡大断面図
【図４】  図１のＸ3 −Ｘ3 線矢視相当拡大断面図
【図５】  図１のＸ4 −Ｘ4 線矢視相当拡大断面図
【図６】  図５のＹ矢視相当斜視説明図
【図７】  図６の要部構成図
【図８】  動作説明図（１）
【図９】  動作説明図（２）
【図１０】  他の実施の形態を示す図６相当図
【図１１】  他の実施の形態を示す要部分解斜視説明図
【図１２】  他の実施の形態を示す要部縦断面説明図
【図１３】  他の実施の形態を示す要部構成説明図
【符号の説明】
１１…ガイドピン
１１ａ…ガイドローラ
１２…ブラケット
１２ａ…スリット
１３…ガイドレール
１３ｂ…切欠き
２２、２３…支持アーム
３１…扉
４０…扉枠
【図１】
0003902695.tif 000002
【図２】
0003902695.tif 000003
【図３】
0003902695.tif 000004
【図４】
0003902695.tif 000005
【図５】
0003902695.tif 000006
【図６】
0003902695.tif 000007
【図７】
0003902695.tif 000008
【図８】
0003902695.tif 000009
【図９】
0003902695.tif 000010
【図１０】
0003902695.tif 000011
【図１１】
0003902695.tif 000012
【図１２】
0003902695.tif 000013
【図１３】
0003902695.tif 000014